(57)【特許請求の範囲】
【請求項１】
ディスクを保持して、回転させるディスク保持手段と、
上記ディスク保持手段により保持されたディスクに対してデータの記録又は再生を行うピックアップと、
上記ディスク保持手段及び上記ピックアップが配置されたディスク載置台と、
上記ディスク載置台を、上記ディスク保持手段により保持されたディスクの平面方向に、第１の位置と第２の位置との間で直線状に移動可能に配置する載置台保持部材と、
上記ディスク載置台の上部に配置されて、所定の回動軸を支点として開閉する蓋部材と、
上記ディスク載置台に設けられる溝部と、
上記溝部に嵌め込まれるように上記蓋部材の所定の位置に接続された留め具とを備え、
上記蓋部材の開く方向への回転動作と上記ディスク載置台の上記第１の位置方向への移動動作が連動され、
さらに上記蓋部材の閉じる方向への回転動作と上記ディスク載置台の上記第２の位置方向への移動動作が連動される
ディスク駆動装置。
【請求項２】
請求項１記載のディスク駆動装置において、
上記蓋部材が閉状態の場合に、その閉状態を維持させるロック手段と、
上記ディスク載置台と上記載置台保持部材とを接続して、弾性力により上記第１の位置側に移動させる所定の弾性部材とを備えた
ディスク駆動装置。
【請求項３】
請求項１記載のディスク駆動装置において、
上記蓋部材の回動動作に所定の抵抗を持たせた
ディスク駆動装置。
【請求項４】
請求項３記載のディスク駆動装置において、
上記所定の抵抗は、
上記蓋部材の開閉に伴って回転する歯部と、
上記歯部と連結した歯車と、
上記歯車を取り囲むように配置された歯車保持部と、
上記歯車保持部の内部を充填させる粘弾性物質と
で構成される機構により得る抵抗である
ディスク駆動装置。
【請求項５】
請求項１記載のディスク駆動装置において、
上記第１の位置に上記ディスク載置台があるとき、上記ディスク保持手段により保持されたディスクの一部が、上記載置台保持部材の外側に突出し、上記第２の位置に上記ディスク載置台があるとき、上記ディスク保持手段により保持されたディスクが、閉じた
状態の上記蓋部材で蓋される範囲内に位置するようにした
ディスク駆動装置。
【請求項６】
請求項１記載のディスク駆動装置において、
上記蓋部材にディスクをチャッキングさせる補助部材を取付け、
上記蓋部材を閉じた場合に、蓋部材に取付けられた補助部材と上記ディスク保持手段とで、ディスクを保持するようにした
ディスク駆動装置。
【発明の詳細な説明】
【０００１】
【発明の属する技術分野】
本発明は、例えばＣＤ（Compact Disc），ＤＶＤ（Digital Video Disc又はDigital Versatile Disc）などの光ディスクの記録装置又は再生装置に適用して好適なディスク駆動装置に関する。
【０００２】
【従来の技術】
従来、例えばＣＤと称されるデジタルオーディオ信号などのデータが記録されたディスクを再生する再生装置、或いは、この種のディスクにデータを記録する記録装置が各種実用化されている。このようなディスク再生装置やディスク記録装置は、ディスクをスピンドルモータにより回転駆動させた状態で、レーザ光の照射などを行うピックアップにより、記録や再生を行う構成としてある。
【０００３】
この記録や再生を行う装置（以下の説明ではこのような装置をディスク駆動装置と称する）の基本的な構成の例について説明すると、例えば図１２に示すように、ディスク駆動装置本体２は、ディスク１を装着するトレイ３を備えて、このトレイ３が前面に引き出される構成としたものがある。この構成のディスク駆動装置で記録又は再生を行う際には、トレイ３を破線で示すように本体２の内部に収納させる。トレイ３の移動は、モータなどによる駆動で行われる。
【０００４】
別のディスク駆動装置の例を図１３に示すと、この例のディスク駆動装置本体４は、上面のディスク収納部５の上に、開閉自在な蓋６を設けて、この蓋６を開けたとき、ディスク収納部５にディスク１を載せることができる構成としてある。蓋６は、例えば閉状態のとき図示しないロック機構でロックされる構成として、ロックボタン７を押すことで、そのロックが解除されて、蓋６が開くように構成する。
【０００５】
【発明が解決しようとする課題】
図１２に示したトレイが引き出される形式の場合には、ディスクの入れ替え時には、トレイが手前に出てくるため、ディスクの入れ替えが比較的容易に行える利点があるが、トレイを移動させるために、モータと、そのモータの回転力でトレイを直線移動させる伝達機構などが必要であり、構成が複雑化すると共に、トレイを移動させるために電力を消費する問題がある。
【０００６】
また、図１３に示した上蓋の開閉機構による形式の場合には、蓋の開閉のために特に動力源を設ける必要はなく、比較的簡単な機構で実現できるが、ディスク収納部５が装置本体４の上面にあるため、ディスクの入れ替えに若干手間取る問題があった。
【０００７】
このように従来から開発されているディスク装着機構では、ディスクの入れ替え操作性を考慮した場合、トレイを駆動させる機構などが複雑化する問題があり、構成の簡易化を考慮した場合、ディスクの入れ替え操作性がある程度犠牲になっている問題あり、簡単な構成でディスクの出し入れがし易いディスク駆動機構を得ることは容易ではなかった。
【０００８】
本発明はかかる点に鑑み、モータなどの駆動源を必要としない簡単な構成で、ディスクを容易に入れ替えできるディスク駆動装置を提供することを目的とする。
【０００９】
【課題を解決するための手段】
本発明は、ディスクを保持して回転させるディスク保持手段と、ディスク保持手段により保持されたディスクに対してデータの記録又は再生を行うピックアップと、ディスク保持手段及びピックアップが配置されたディスク載置台と、ディスク載置台をディスク保持手段により保持されたディスクの平面方向に、第１の位置と第２の位置との間で直線状に移動可能に配置するトレイ保持部材と、ディスク載置台の上部に配置されて、所定の回動軸を支点として開閉する蓋部材と、ディスク載置台に設けられる溝部と、溝部に嵌め込まれるように蓋部材の所定の位置に接続された留め具とを備え、蓋部材の開く方向への回転動作とディスク載置台の上記第１の位置方向への移動動作が連動され、さらに蓋部材の閉じる方向への回転動作とディスク載置台の上記第２の位置方向への移動動作が連動されるようにしたものである。
【００１０】
本発明によると、蓋部材の開閉に連動してディスク載置台が平行に移動して、ディスク載置台に配置されたディスク保持手段に保持されたディスクが平行移動する。従って、ディスク装着時や取り出し時には、ディスクを着脱し易い位置にディスク載置台を移動させることで、ディスク装着時や取り出し時の取り扱い易さを良好にすることができる。
【００１１】
【発明の実施の形態】
以下、図１〜図９を参照して、本発明の一実施の形態を説明する。
【００１２】
本例においては、比較的小型のディスク記録装置又はディスク再生装置に適用可能なディスク駆動装置としてあり、装着されるディスクとしては、例えば直径１２cm程度のＣＤ，ＤＶＤなどのディスクが適用可能である。ここでは記録や再生を行うデータについては特に説明しないが、オーディオデータ，ビデオデータなどの各種データの記録や再生が行える装置に適用可能である。
【００１３】
図１は、本例のディスク駆動装置１００を示した斜視図である。本例のディスク駆動装置１００は、ディスク装着部の上方を蓋部材１８０で覆う構成としてある。ディスク駆動装置本体は、上部材１１０と下部材１５０とに２分割できる構成としてあり、上部材１１０と下部材１５０とに分解した状態を図２に示す。
【００１４】
上部材１１０は、中央部にディスクが納まる開口部１１１を有し、この開口部１１１に後述する下部材１５０側のディスク載置台１６０が嵌まる構成としてある。開口部１１１の横幅Ｗ（図２参照）は、装着されるディスクの直径よりも若干広い幅としてあり、開口部１１１の奥行きＬ（図２参照）は、装着されるディスクの直径よりも若干狭い長さとしてある。例えば、装着されるディスクの直径を１２cmとしたとき、開口部１１１の横幅Ｗを約１４cmとし、奥行きＬを約１０cmとする。
【００１５】
開口部１１１の前縁１１１ａは、上部材１１０の上面から多少（例えば数mmから１cm程度）下げた位置としてあり、上部材１１０と下部材１５０とを組み立てた状態では、後述するディスク載置台１６０の上面が、この開口部１１１の前縁１１１ａと同じ高さとなるようにしてある。
【００１６】
このように構成された上部材１１０には、開口部１１１を覆うための蓋部材１８０が設けてある。この蓋部材１８０は、それぞれがほぼ半円形状の左支持枠１８１と右支持枠１８２とが一体に形成させてあり、開口部１１１の奥になる位置で、回動中心軸ｏを中心として回動できるように、上部材１１０に取付けてある。左支持枠１８１と右支持枠１８２には、それぞれ回動中心軸ｏから離れた位置にピン１８３，１８４が設けてあり、左右のピン１８３，１８４が対向した状態で突出している。
【００１７】
本例の場合には、蓋部材１８０は約８０°回動させることができる構成としてあり、図１，図２に示した状態は、最も大きく開けた状態であり、図６に示すように、閉じた状態とすることで、開口部１１１が完全に蓋される状態となる。この図６に示すように開口部１１１が完全に蓋されるようにするために、蓋部材１８０の先端部（回動中心軸から最も離れた側）に、曲折部１８５を形成させてあり、蓋部材１８０で蓋された状態のとき、開口部１１１の前縁１１１ａに、蓋部材１８０の曲折部１８５の先端が位置して、上部材１１０の上面及び前面と蓋部材１８０とがほぼ段差がない位置となる形状としてある。また、曲折部１８５から若干離れた位置の右端部には、フック部１８６が形成させてあり、開口部１１１の右脇に設けたロック用孔１１２にフック部１８６が嵌まることで、蓋部材１８０が閉状態にロックされる構成としてある。
【００１８】
ここで、ロック用孔１１２を使用して蓋部材１８０がロックされる構成について説明すると、図２に破線で示すように、上部材１１０の内部の右手前には、板状のロック解除部材１９０が配置してある。このロック解除部材１９０は、ロック用孔１１３からボタン部１９１が外側に突出しており、内部でバネ７２を介して上部材１１０側に接続させてある。そして、バネ７２の弾性力の作用でロック用孔１１２の下側の一部にロック解除部材１９０が位置するようにしてあり、蓋部材１８０を閉状態としたときに、ロック用孔１１２に嵌まったフック部１８６の突起１８７が、ロック用孔１１２の下側に位置するロック解除部材１９０に係止させる構成としてある。
【００１９】
そして、ロック用孔１１３から突出したボタン部１９１が押されたとき、バネ７２の弾性力に抗してロック解除部材１９０が動き、フック部１８６の突起１８７がロック解除部材１９０から外れて、ロックが解除される。
【００２０】
蓋部材１８０の右支持枠１８２の外周部１８２ａには、歯を連続的に形成させてある。そして、右支持枠１８２の外周部１８２ａに形成された歯とかみ合うダンパ用ギヤ８１が配置してある。このダンパ用ギヤ８１は、上部材１１０に取付けられたギヤ保持部８２により回転自在に保持され、蓋部材１８０を回動させたとき連動して回転する。この場合、ギヤ保持部８２内のギヤ保持機構部（図示せず）には、例えば粘弾性を持った流体などを充填させて、ギヤ８１の回転に所定の抵抗力を持たせるようにしてある。なお、ダンパ用ギヤ８１は、上部材１１０と下部材１５０とを接合した際に外側から見えない位置（具体的にはディスク載置台１６０で隠れる位置）に配置してある。
【００２１】
次に、下部材１５０側の構成について説明すると、図２に示すように、本例の下部材１５０は、ディスク載置台１６０を前後にスライド可能に載せるようにしてある。即ち、下部材１５０は、ガイド用長孔１５１，１５２が左右に平行に形成してあり、ディスク載置台１６０の左右後方の延長部１６３，１６７（右側の延長部１６７は図２では隠れた位置になっている）を、ガイド用長孔１５１，１５２に嵌めた状態で、ディスク載置台１６０を下部材１５０の上に載せる構成としてある。従って、ガイド用長孔１５１，１５２の長さに対応した距離だけ、ディスク載置台１６０を前後に移動させることが可能とされる。
【００２２】
この場合、図２に破線で示すように、下部材１５０の内部にコイル状のバネ７１が配置してあり、このバネ７１の一端をディスク載置台１６０に係止してあり、他端を下部材１５０側に係止してあり、バネ７１の弾性力で、ディスク載置台１６０を手前側に移動させる力が働くようにしてある。図２に示したディスク載置台１６０の位置は、このバネ７１の弾性力で、最も手前側に移動した状態の位置である。
【００２３】
ディスク載置台１６０の上には、駆動ユニット配置用切り欠き部１６１が設けてあり、後方に壁部１６２が形成させてある。この壁部１６２は、後述するディスク装着時に、ディスクが載置台１６０よりも後方に入ることがないような規制手段として機能する。
【００２４】
駆動ユニット配置用切り欠き部１６１には、ディスク駆動ユニット９０が配置される。このディスク駆動ユニット９０は、ディスクをチャッキングさせるチャッキング部９１と、そのチャッキング部９１でチャッキングされたディスクに対して、レンズ９３からレーザ光を照射する光学ピックアップ９２とを備える。ここでのチャッキング部９１は、例えば図３にディスク装着状態を示すように、３個のチャッキング用爪９４でディスク１を保持する構成としてあり、このチャッキング部９１でチャッキングされたディスクが、駆動ユニット９０内のスピンドルモータ（図示せず）による駆動で回転する。
【００２５】
光学ピックアップ９２は、図示しないスレッド送り機構により、装着されたディスクの半径方向に移動可能に構成される。このディスク駆動ユニット９０に取付けられたスピンドルモータや光学ピックアップ９２などの部品は、図示しないディスク駆動装置内のデータ処理回路側と電気的に接続させてある。この接続には、例えばフレキシブル基板を使用して、ディスク載置台１６０の前後の移動に対処できるようにしてある。
【００２６】
なお、本例の場合には、ディスク載置台１６０に配置されたディスク駆動ユニット９０のチャッキング部９１は、ディスク載置台１６０の手前側の中央に位置し、ディスク載置台１６０の後方に光学ピックアップ９２が位置するようにしてある。
【００２７】
ディスク載置台１６０の左側の延長部１６３の外側には、２本の直立した突起１６４，１６５が所定の間隔を開けて平行に設けてあり、この２本の突起１６４，１６５の間が、溝部１６６となっている。但し、延長部１６３の上端部では、突起１６５を若干傾斜させてある。、ディスク載置台１６０の右側の延長部１６７の外側にも２本の直立した突起１６８，１６９が設けてあり、図２では反対側になるので示してないが（図８，図９参照）、この２本の突起１６８，１６９の間が、溝部１７０となっている。それぞれの溝部１６６，１７０は、上述した蓋部材１８０の左支持枠１８１及び右支持枠１８２に設けたピン１８３，１８４を通すことができる幅としてある。
【００２８】
そして、上部材１１０と下部材１５０とを接合して組み立てる際には、ディスク載置台１６０の左側の延長部１６３の溝部１６６に、蓋部材１８０の左支持枠１８１に設けたピン１８３を通し、ディスク載置台１６０の右側の延長部１６７の溝部１７０に、蓋部材１８０の右支持枠１８２に設けたピン１８４を通す。このようにピン１８３，１８４を通した状態で、上部材１１０と下部材１５０とをネジ止めなどで結合させて、組み立てる。
【００２９】
次に、このように構成されるディスク駆動装置１００の動作について説明する。本例のディスク駆動装置１００は、蓋部材１８０の開閉動作に連動して、ディスク載置台１６０が前後に移動するものであり、蓋部材１８０の状態とディスク載置台１６０の位置について、図を参照して説明する。なお、実際にディスク１を装着した状態を示した図以外では、チャッキング部９１でチャッキングされたディスクの位置を仮想線で示してある。
【００３０】
まず、蓋部材１８０を完全に開けた状態を図１に示し、さらにその状態でディスク１を装着した状態を図３に示すと、この状態では、ディスク載置台１６０が最も手前に位置している。このときには、ディスク載置台１６０の前端が、開口部１１１の前縁１１１ａと接触している。この蓋部材１８０を完全に開けた状態では、チャッキング部９１でチャッキングされたディスク１の一部が、開口部１１１の前縁１１１ａから前方に多少突出する。本例の場合には、例えば直径１２cmのディスクを装着したとき、３cm程度前方に突出する。
【００３１】
この蓋部材１８０を開けた状態から、蓋部材１８０を閉じさせることで、蓋部材１８０の回動に連動して、ディスク載置台１６０が後方に移動する。図４は、蓋部材１８０を完全に開けた状態から若干閉じた状態を示してあり、図５は、蓋部材１８０が完全に閉じる寸前の状態を示してあり、図６は、蓋部材１８０が完全に閉じた状態を示してある。この蓋部材１８０の回動に連動したディスク載置台１６０の移動は、蓋部材１８０の左支持枠１８１及び右支持枠１８２に設けたピン１８３，１８４が、ディスク載置台１６０の左右の延長部１６３，１６７の溝１６６，１７０に嵌めてあるためである。
【００３２】
図７は、ディスク駆動装置１００を上側から平面的に見た図であり、蓋部材１８０を閉じた状態でのディスク載置台１６０及びディスク１の位置を破線で示してあり、蓋部材１８０を完全に開けた状態の位置を、仮想線でディスク載置台１６０′及びディスク１′として示してある。この図７に示すように、ディスク載置台１６０が最も後方に移動した状態では、装着されたディスク１がディスク駆動装置１００の内部に収納される。そして、ディスク載置台１６０が最も手前に移動した状態では、ディスク１の一部が手前に突出した状態となっている。なお、ディスク載置台１６０は、破線で示したバネ７１を介して下部材１５０と接続してあり、蓋部材１８０がロックされてない状態のとき、このバネ７１の弾性力で、最も手前に移動した状態となるように構成してある。
【００３３】
また、図７では、内部に配置されたロック解除部材１９０についても破線で示してある。このロック解除部材１９０についても、バネ７２を介して下部材１５０と接続してあり、このバネ７２の弾性力で、ロック用孔１１３からボタン部１９１が突出するようにしてある。ロック用孔１１３側にボタン部１９１を押し込むことで、ロック解除動作が行われる。
【００３４】
次に、ディスク載置台１６０の動きを説明するために、図８，図９にディスク駆動装置１００の内部を断面で示す。この図８，図９では、右支持枠１８２に設けたピン１８４と、ディスク載置台１６０の右側の延長部１６７の突起１６８，１６９で形成される溝１７０の関係を示してある。図９に示すように、蓋部材１８０が閉じた状態にロックされてなく開いた状態では、内部のバネ７１（図９では図示せず）の弾性力で、ディスク載置台１６０が最も手前に移動し、ディスク載置台１６０に載せられたディスク１の端部が、ディスク駆動装置１００の手前から外側に突出する。このとき、ディスク載置台１６０の溝１７０にピン１８４が嵌まっているために、このピン１８４が設けられた右支持枠１８２が、回動中心軸ｏを中心として回動して、右支持枠１８２が取付けられた蓋部材１８０が回動して、図９に示したように蓋部材１８０が開いた状態になる。なお、図８，図９では図示してないが、左支持枠１８１に設けたピン１８３についても、同様にディスク載置台１６０に設けた溝１６６（図２参照）に嵌まっているので、右側のピン１８４と同様の動作が行われる。
【００３５】
この蓋部材１８０が開く際には、バネ７１の弾性力で蓋部材１８０が回動することになる。ここで本例の場合には、右支持枠１８２の外周部１８２ａに形成させた歯とダンパ用ギヤ８１の歯とをかみ合わせてあり、このダンパ用ギヤ８１は、ギヤ保持部８２でギヤ８１の回転に所定の抵抗力を持たせるようにしてある。このため、右支持枠１８２の回動時には、右支持枠１８２が勢い良く（つまり高速で）回動するを阻止するように機能して、結局、蓋部材１８０の回動及びディスク載置台１６０の移動は低速で行われるようになり、例えばボタン部１９１を押し込んでロック解除動作を行ってから、１〜２秒程度の時間を掛けて図９に示したような完全に開いた状態になる。
【００３６】
そして、図９に示したように開いた状態の蓋部材１８０を閉じさせる場合には、その開いた状態の蓋部材１８０をユーザが手で持って閉じさせることで、蓋部材１８０側の支持枠１８１，１８２に設けたピン１８３，１８４から、ディスク載置台１６０の溝１６６，１７０に動きが伝わり、蓋部材１８０の閉動作に連動してディスク載置台１６０が後方に移動するようになる。そして、蓋部材１８０を完全に閉じさせたとき、図８に示すように、蓋部材１８０のフック部１８６の突起１８７がロック解除部材１９０に係止されて、蓋部材１８０がロックされて、閉状態が維持される。
【００３７】
このように本例のディスク駆動装置１００によると、蓋部材１８０を閉じた状態では、ディスク載置台１６０のチャッキング部９１でチャッキングされたディスク１が装置１００の内部に収まり、光学ピックアップ９２を使用したデータの記録や再生が可能となる。そして、ボタン部１９１を押し込んでロック解除動作を行うことで、内部のバネ７１の弾性力で、蓋部材１８０の開く動作とディスク載置台１６０の手前への移動とが連動して行われて、チャッキング部９１でチャッキングされたディスク１が手前に迫り出すようになる。このようにディスク１が手前に迫り出して、ディスク１の端部が装置１００の前縁から突出することで、ディスク１を取り外す際に、その突出したディスクの端部をユーザが持ち易くなり、ディスク１の交換時の使い勝手が向上する。
【００３８】
そして本例の場合には、このようにディスク１を迫り出させるために、モータなどの駆動源を全く必要とせず、単に内部に配置したバネ７１の弾性力だけで、蓋部材１８０の開き動作とディスク載置台１６０の移動とが行われ、極めて簡単な機構で実現できると共に、蓋の開閉動作に電力を全く必要としない効果を有する。
【００３９】
また、本例の場合には、蓋部材１８０を開けたとき、ディスク１が手前に迫り出すようにしてあるので、蓋の長さ（奥行き）を、ディスク１の直径よりも短くすることができる。即ち、例えば従来例として図１３に示したような蓋６を設けた場合には、蓋のサイズを、装着されるディスクよりも大きくする必要があるが、本例の場合には、ディスク１の直径よりも短い長さの蓋とすることができる。従って、例えばディスク駆動装置１００の上面の蓋部材１８０の後方のスペースを、他の用途に使用できるようになる。例えば、操作ボタンや表示パネルなどを、蓋部材１８０の後方のスペースに配置できるようになり、それだけ装置の小型化に貢献することになる。
【００４０】
さらに本例の場合には、バネ７１の弾性力で蓋が開くようにしたが、ダンパ用ギヤ８１を設けて、蓋部材１８０の開き動作とディスク載置台１６０の移動とにある程度の時定数を持つようにしたので、バネの力で急激に蓋が開くようなことがなく、良好な動作状況が得られる。
【００４１】
なお、上述した実施の形態では、ディスク載置台１６０でディスクを保持する構成として、３個のチャッキング用爪９４でディスク１を保持するようにしたが、その他の構成でも実現可能である。例えば、蓋部材１８０側に、チャッキング用の部材を設けるようにしても良い。
【００４２】
図１０，図１１は、この蓋部材１８０側にチャッキング用の部材を設けた場合のディスク駆動装置１００′の構成例を示した図である。即ち、図１０に示すように、ディスク駆動装置１００′のディスク載置台１６０に取付けられたディスク駆動ユニット９０には、光ディスク１の中心の孔に対応した円形のチャッキング部９５を設け、蓋部材１８０の内側には、金属板などの磁性材で構成されたチャッキングプレート９６を取付ける。この場合、チャッキング部９５には磁石を内蔵させて、蓋部材１８０を閉じた状態のとき、磁石の磁力でチャッキングプレート９６が吸着するように構成し、そのチャッキングプレート９６の吸着で、光ディスク１がチャッキング部９５に保持されるようにする。
【００４３】
図１１は、ディスク駆動装置１００′の蓋部材１８０を閉じた状態を断面で示した図である。この図１１に示すように、蓋部材１８０を閉じたときに、チャッキング部９５の真上になる蓋部材１８０の内側に、チャッキングプレート９６を取付けることで、蓋部材１８０を閉じるだけで、自動的にチャッキングプレート９６がチャッキング部９５に吸着し、光ディスク１がチャッキングされる。そして、図１０に示すように、蓋部材１８０を開けることで、自動的に光ディスク１がチャッキングされた状態から外れ、ディスクの入れ替えが容易にできるようになる。ディスク駆動装置１００′のその他の部分は、図１〜図９に示したディスク駆動装置１００と同様に構成する。
【００４４】
また、ここまで説明した実施の形態では、ディスク駆動装置内のディスクの装着に関連した機構だけを示したが、実際にはディスク駆動装置が再生装置や記録装置として構成される場合に、これらの装置が必要な部品が、装置としての筐体に内蔵されることになる。例えば、再生や記録の操作を行うための操作キーや、再生状況や記録状況を表示する表示パネルなどが配置されるものである。
【００４５】
また、上述した実施の形態で説明したロック機構や、蓋やディスク載置台を移動させる弾性部材としてのバネなどは、一例を示したものであり、その他の機構や部材で、同様の機能を実現するようにしても良い。
【００４６】
【発明の効果】
本発明によると、蓋部材の開閉に連動してディスク載置台が平行に移動して、ディスク載置台に配置されたディスク保持手段に保持されたディスクが平行移動する。従って、ディスク装着時や取り出し時には、ディスクを着脱し易い位置にディスク載置台を移動させることで、ディスク装着時や取り出し時の取り扱い易さを良好にすることができる。この場合、ディスク載置台の移動は、蓋部材の開閉に連動した動きであるため、モータなどの駆動源を必要とせず、電力を必要としない簡単な構成で実現できる。
【００４７】
また、上述した場合に、蓋部材が閉状態の場合に、その閉状態を維持させるロック手段と、その弾性力によりディスク載置台を第１の位置側に移動させる所定の弾性部材とを備えたことで、ロック手段のロックを解除したとき、弾性部材の弾性力で蓋部材が自動的に開状態になると共に、その開状態への動きに連動して、ディスク載置台も自動的に第１の位置側に移動するようになる。
【００４８】
さらに、このロック手段と弾性部材とを備えた場合に、伝達手段は、所定の抵抗力を持って蓋部材とディスク載置台とを連結させ、ロック手段によるロックを解除したとき、伝達手段が持つ抵抗力に抗しながら弾性部材の弾性力により徐々に蓋部材が開くようにしたことで、蓋部材を開状態とする際の急激な動きが阻止されて、良好に蓋部材とディスク載置台とが動くようになる。
【００４９】
また、第１の位置にディスク載置台があるとき、ディスク保持手段により保持されたディスクの一部が、トレイ保持部材の外側に突出し、第２の位置にディスク載置部があるとき、ディスク保持手段により保持されたディスクが、閉じた状態の蓋部材で蓋される範囲内に位置するようにしたことで、蓋部材を開状態としたとき、ディスク保持手段により保持されたディスクの一部が外側に突出するようになり、ディスクを手で持ちやすくなり、ディスク交換が容易に行えるようになる。
【００５０】
また、蓋部材にディスクをチャッキングさせる補助部材を取付け、蓋部材を閉じた場合に、蓋部材に取付けられた補助部材とディスク保持手段とで、ディスクを保持するようにしたことで、蓋部材を閉状態とする動作に連動して、ディスクの保持動作も行われるようになり、ディスクの装着，取り外しが容易に行えるようになる。
【図面の簡単な説明】
【図１】本発明の一実施の形態による装置の例（蓋を開けた状態）を示した斜視図である。
【図２】図１の例の装置を分解して示した分解斜視図である。
【図３】図１の例の装置にディスクを装着した状態を示した斜視図である。
【図４】図１の例の装置の蓋を若干閉じた状態を示した斜視図である。
【図５】図１の例の装置の蓋を完全に閉じる寸前まで閉じた状態を示した斜視図である。
【図６】図１の例の装置の蓋を完全に閉じた状態を示した斜視図である。
【図７】図１の例の装置を上側から見た平面図である。
【図８】図１の例の装置の蓋を閉じた状態の断面図である。
【図９】図１の例の装置の蓋を開いた状態の断面図である。
【図１０】本発明の他の実施の形態による装置の例を示した斜視図である。
【図１１】図１０の例の装置の蓋を開いた状態の断面図である。
【図１２】従来のディスク駆動装置の一例を示した斜視図である。
【図１３】従来のディスク駆動装置の他の例を示した斜視図である。
【符号の説明】
１…ディスク、２…ディスク駆動装置本体、３…トレイ、４…ディスク駆動装置本体、５…ディスク収納部、６…蓋、７…ロックボタン、７１，７２…バネ、８１…ダンパ用ギヤ、８２…ギヤ保持部、９０…ディスク駆動ユニット、９１…チャッキング部、９２…光学ピックアップ、９３…レンズ、９４…チャッキング用爪、９５…チャッキング部、９６…チャッキングプレート、１００…ディスク駆動装置、１１０…上部材、１１１…開口部、１１２…ロック用孔、１１３…ボタン用孔、１５０…下部材、１５１，１５２…ガイド用長孔、１６０…ディスク載置台、１６１…駆動ユニット配置用切り欠き部、１６２…壁部、１６３…延長部、１６４，１６５…突起、１６６…溝部、１６７…延長部、１６８，１６９…突起、１７０…溝部、１８０…蓋部材、１８１…左支持枠、１８２…右支持枠、１８３，１８４…ピン、１８５…曲折部、１８６…フック部、１８７…突出部、１９０…ロック解除部材、１９１…ボタン部、ｏ…蓋部材の回動中心軸
【図１】
0003852328.tif 000002
【図２】
0003852328.tif 000003
【図３】
0003852328.tif 000004
【図４】
0003852328.tif 000005
【図５】
0003852328.tif 000006
【図６】
0003852328.tif 000007
【図７】
0003852328.tif 000008
【図８】
0003852328.tif 000009
【図９】
0003852328.tif 000010
【図１０】
0003852328.tif 000011
【図１１】
0003852328.tif 000012
【図１２】
0003852328.tif 000013
【図１３】
0003852328.tif 000014